(57)【要約】      （修正有）【課題】クラウド伝送に基づく水質および漏水モニタリングシステムを提供する。【解決手段】主に管体１と、インターネットクラウドに設置される仲介プラットフォームサーバ２とを含む。このうち、管体１に主管体１１と、主管体１１に並列に連結する側管体１２とが設けられ、該主管体にＰＨ値、水圧、濁度および流量などの検出素子と、制動弁とが設けられ、さらに側管体１２に水流検出素子１８が設けられる。管体１を住宅の外、内の水道管の間に取り付け、これにより水道水のＰＨ値、水圧、濁度、流量および微量の水流をモニタリングする。ＷｉＦｉまたは４Ｇ無線通信機能により、インターネットクラウドに設置される仲介サーバに接続され、各検出素子が取得したデータが保存され、使用者はコンピュータ６またはモバイル通信装置７でクラウドからダウンロード、閲覧する。水質のモニタリングおよび漏水状態かどうかのモニタリングを随時行うことを達成し、これにより水質変化前および漏水時の対応に有利である。【選択図】図４
0003204829.tif 000002
【実用新案登録請求の範囲】
【請求項１】
クラウド伝送に基づく水質および漏水モニタリングシステムであって、
突管が設けられ、該突管内に出水口が設けられ、さらに該突管の上縁に蓋体が設けられ、突管内に制動弁が設けられる主管体と、
主管体に並列に連結され、比較的小さい径の流路が設けられ、流路の両端にそれぞれ水流検出素子が設けられ、これにより該流路を流れる微量の水流を検出し、該水流検出素子がＷｉＦｉまたは４Ｇ無線通信機能を有する中央制御装置と接続される側管体と、を含み、
主管体を住宅の外、内の水道管の間に取り付けると、水道水を使用するとき、水圧が比較的高いため、制動弁が開き、水道水が出水口から主管体に流れ、水道水を止めていて、水道管が漏水している場合、水圧が比較的低いため、制動弁が閉じ、微量の水が側管体の流路に流れ、流路の両端の水流検出素子により、該流路を流れる微量の水流が検出され、中央制御装置のＷｉＦｉまたは４Ｇ無線通信機能により、インターネットを介して、インターネットクラウドに設置される仲介プラットフォームサーバに接続され、該水流検出素子が取得したデータが保存され、使用者はコンピュータまたはモバイル通信装置（スマートフォン）で、クラウドからダウンロード、閲覧して、漏水状態かどうかを随時モニタリングすることを達成し、即時に対応、処理して、水資源の浪費を防止するシステム。
【請求項２】
制動弁がピストンおよびばねを含み、ばねの両端がピストンおよび蓋体をそれぞれ支持し、さらには該ピストンがばねにより可動状態を構成し、該ピストンは出水口を塞ぐか、または出水口から離脱し、水が側管体または主管体を流れる、請求項１に記載のクラウド伝送に基づく水質および漏水モニタリングシステム。
【請求項３】
側管体の流路の両端に設けられる水流検出素子が超音波要素である、請求項１に記載のクラウド伝送に基づく水質および漏水モニタリングシステム。
【請求項４】
主管体に、中央制御装置と接続されるＰＨ値検出素子、水圧検出素子、濁度検出素子および流量検出素子がさらに設けられ、中央制御装置のＷｉＦｉまたは４Ｇ無線通信機能により、インターネットを介してインターネットクラウドに設置される仲介プラットフォームサーバに接続され、各検出素子が取得したデータが保存され、使用者はコンピュータまたはモバイル通信装置（スマートフォン）で、クラウドからダウンロード、閲覧して、水質の状態のモニタリングを随時行うことを達成する、請求項１に記載のクラウド伝送に基づく水質および漏水モニタリングシステム。
【考案の詳細な説明】
【技術分野】
【０００１】
本考案はクラウド伝送に基づく水質および漏水モニタリングシステムに関し、特に使用者がクラウドからダウンロード、閲覧することができ、水質のモニタリング、および漏水状態かどうかのモニタリングを随時行うことを達成し、これにより水質変化前および漏水時の対応に有利である水質および漏水モニタリングシステムを指す。
【背景技術】
【０００２】
水道水は現在の生活に不可欠である。ただ、水道水は住宅に供給される前に、適当なろ過工程を経過するが、水中の不純物を完全に除去することはできない。特に台風が襲来する前後は、常に水中の濁度が上昇し、飲用水の品質に影響を及ぼしている。また、水道水は給水栓を止めていて漏水が存在する場合、一般の使用者は発見することができず、これが積み重なると、水道料金の増加や、水資源の浪費が引き起こされることもある。既存の技術は水道管にＰＨ値、水圧および濁度、流量などの検出装置を取り付けることができ、クラウド技術により、使用者は遠隔端末で随時検出データを注意して、対応する必要があるが、これらの検出素子により漏水しているかどうかを知ることはできない。出願人はこのことを考慮して、不断の研究、実験により、クラウド伝送に基づく水質モニタリングシステムを設計し、水質および漏水状態かどうかのモニタリングを随時行うことを達成し、これにより水質変化前および漏水時の対応に有利である。
【考案の概要】
【考案が解決しようとする課題】
【０００３】
本考案の主な目的は、クラウド伝送に基づく水質および漏水モニタリングシステムを提供することであり、特に使用者がクラウドからダウンロード、閲覧することができ、水質のモニタリング、および漏水状態かどうかのモニタリングを随時行うことを達成し、これにより水質変化前および漏水時の対応に有利である水質および漏水モニタリングシステムを指す。
【課題を解決するための手段】
【０００４】
前記クラウド伝送に基づく水質および漏水モニタリングシステムは、管体と、インターネットクラウドに設置される仲介プラットフォームサーバとを含む。このうち、該管体に主管体と、該主管体に並列に連結される側管体とが設けられ、該主管体にＰＨ値、水圧、濁度および流量などの検出素子と、制動弁とが設けられ、さらに該側管体に水流検出素子が設けられる。管体を住宅の外、内の水道管の間に取り付け、これにより水道水のＰＨ値、水圧、濁度、流量および微量の水流をモニタリングする。ＷｉＦｉまたは４Ｇ無線通信機能により、インターネットクラウドに設置される仲介サーバに接続され、各検出素子が取得したデータが保存され、使用者はコンピュータまたはモバイル通信装置でクラウドからダウンロード、閲覧する。水質および漏水状態かどうかを随時モニタリングすることを達成し、これにより水質変化前および漏水時の対応に有利である。
【０００５】
前記クラウド伝送に基づく水質および漏水モニタリングシステムにおいて、管体の側管体に比較的小さい径の流路が設けられ、流路の両端にそれぞれ水流検出素子が設けられ、これにより該流路を流れる微量の水流を検出する。
【０００６】
前記クラウド伝送に基づく水質および漏水モニタリングシステムにおいて、側管体の流路の両端に設けられる水流検出素子は、超音波要素である。
【０００７】
前記クラウド伝送に基づく水質および漏水モニタリングシステムにおいて、該主管体に突管が設けられ、該突管内に出水口が設けられ、さらに該突管の上縁に蓋体が設けられる。該制動弁はピストンおよびばねを含み、ばねの両端はピストンおよび蓋体をそれぞれ支持する。さらに該ピストンはばねにより可動状態を構成し、該ピストンは出水口を塞ぐか、または出水口から離脱し、水は側管体または主管体を流れる。
【図面の簡単な説明】
【０００８】
【図１】図１は、本考案の立体図である。
【図２】図２は、本考案の平面図である。
【図３】図３は、本考案の制動弁の断面図である。
【図４】図４は、本考案のシステムチャートである。
【図５】図５は、本考案の検出状態図である。
【図６】図６は、本考案の検出状態図である。
【図７】図７は、本考案の漏水の検出状態図である。
【図８】図８は、本考案の漏水の検出状態図である。
【考案を実施するための形態】
【実施例】
【０００９】
図１、図２および図３を同時に、さらに図４を組み合わせて参照されたい。図１、図２、図３、図４は、本考案の立体図、平面図、制動弁の断面図、およびシステムチャートである。図に示すように、本考案は管体１と、インターネットクラウドに設置される仲介プラットフォームサーバ２とを含む。このうち、該管体１に主管体１１と、該主管体１１に並列に連結する側管体１２とが設けられ、該主管体１１にＰＨ値検出素子１３、水圧検出素子１４、濁度検出素子１５、および流量検出素子１６などの検出素子が設けられる。さらに該主管体１に突管１７が設けられ、該突管１７内に出水口１７１が設けられ、該突管１７の上縁に蓋体１７２が設けられる。該ＰＨ値検出素子１３、水圧検出素子１４、濁度検出素子１５、および流量検出素子１６などの検出素子は、それぞれＷｉＦｉまたは４Ｇ無線通信機能を有する中央制御装置３と接続される。
【００１０】
制動弁４は主管体１１の突管１７内に設けられ、該制動弁４はピストン４１およびばね４２を含み、ばね４２の両端はピストン４１および蓋体１７２の内縁をそれぞれ支持する。さらに該ピストン４１は、ばね４２の弾性により可動状態を構成し、該ピストン４１は突管１７の出水口１７１を塞ぐか、または出水口１７１から離脱する。
【００１１】
該側管体１２に比較的小さい径の流路１２１が設けられ、流路１２１の両端にそれぞれ水流検出素子１８が設けられ、これにより該流路１２１を流れる微量の水流を検出する。該水流検出素子１８は中央制御装置３に接続される。本実施例において、該水流検出素子１８は超音波要素である。
【００１２】
前記部材の組合せにより、クラウド伝送に基づく水質および漏水モニタリングシステムを構成する。管体１を住宅の外、内の水道管の間（水道メータの後端と室内の水道管との間）に取り付ける。水道水を使用するとき、水の流量が比較的多いため、制動弁４のピストン４１が上がり、ピストン４１が主管体１１の突管１７の出水口１７１から離脱する。水道水は出水口１７１から主管体１１に流れ、正常な水供給を達成する。さらには該検出素子がそれぞれ、水道水のＰＨ値、水圧値、濁度値および流量値をモニタリングする。検出値を中央制御装置３のＷｉＦｉまたは４Ｇ無線通信機能により、インターネット５を介して、インターネットクラウドに設置される仲介プラットフォームサーバ２に接続し、各検出素子が取得したデータが保存され、使用者はコンピュータ６またはモバイル通信装置（スマートフォン）７で、クラウドからダウンロード、閲覧する。水質の状態を随時モニタリングすることを達成し、これにより水質変化前の対応に有利である。水道水を止めていて、水道管が漏水していれば、水の流量は比較的少ないため、制動弁４のピストン４１は出水口１７１を塞ぎ、微量の水は側管体１２の流路１２１に流れる。流路１２１の両端の水流検出素子１８により、該流路１２１を流れる微量の水流が検出され、中央制御装置３のＷｉＦｉまたは４Ｇ無線通信機能により、インターネット５を介して、インターネットクラウドに設置される仲介プラットフォームサーバ２に接続される。使用者は、コンピュータ６またはモバイル通信装置（スマートフォン）７で、クラウドからダウンロード、閲覧し、これにより直ちに漏水状況を知ることができ、対応、処理に有利である。
【００１３】
図５および図６を同時に参照されたい。図５および図６は本考案の検出状態図である。図４も合わせて参照されたい。図に示すように、本考案を使用するとき、管体１を住宅の外、内の水道管の間に取り付ける。水道水を正常に使用するとき、水の流量が比較的多いため、制動弁４のピストン４１が上がり、ピストン４１が主管体１１の突管１７の出水口１７１から離脱する。水道水は出水口１７１から主管体１１に流れ、正常な水供給を達成する。該検出素子はそれぞれ、水道水のＰＨ値、水圧値、濁度値および流量値をモニタリングする。中央制御装置３のＷｉＦｉまたは４Ｇ無線通信機能により、インターネット５を介して、インターネットクラウドに設置される仲介プラットフォームサーバ２に接続され、各検出素子が取得したデータが保存され、使用者はコンピュータ６またはモバイル通信装置（スマートフォン）７で、クラウドからダウンロード、閲覧する。水質の状態を随時モニタリングすることを達成し、これにより水質変化前の対応に有利である。例えば、台風が襲来する前に水質が汚濁すると、使用者はコンピュータ６またはモバイル通信装置（スマートフォン）７で知ることができ、事前に貯水して必要に備え、台風が通過した後、取得した水質データに基づいて、正常な水使用状態に回復したかどうかを決定することができる。
【００１４】
図７および図８は、本考案の漏水の検出状態図である。図４も合わせて参照されたい。図に示すように、本考案で水道水を使用せずに止めているとき、主管体１１を流れる水の流量は比較的少ないため、制動弁４のピストン４１に設けられるばね４２の圧力は水の流量より大きく、ピストン４１は下に向かって主管体１１の突管１７の出水口１７１を塞ぎ、水道水はこれにより主管体１１を流れることができない。このとき、水道管が漏水している場合、微量の水流は側管体１２に流れ、さらに比較的小さい径の流路１２１を流れるため、流路１２１の両端に設けられた水流検出素子１８により、微量の水流が検出される。さらに中央制御装置３のＷｉＦｉまたは４Ｇ無線通信機能により、インターネット５を介して、インターネットクラウドに設置される仲介プラットフォームサーバ２に接続され、該水流検出素子１８が取得したデータが保存され、使用者はコンピュータ６またはモバイル通信装置（スマートフォン）７で、クラウドからダウンロード、閲覧する。漏水状態かどうかを随時モニタリングすることを達成し、即時対応、処理して、水資源の浪費を防止する。
【００１５】
前記実施例は、本考案の好ましい実施方式を説明したに過ぎず、本考案の範囲を制限しない。少しの修飾、変更を行っても、本考案の意義は失われず、本考案の主旨の範疇を逸脱しない。
【００１６】
上記をまとめると、本考案は、ＰＨ値、水圧、濁度および流量などの検出素子と制動弁とが設けられる主管体、並びに該主管体に連結し、水流検出素子が設けられる側管体を用いて、該検出素子と接続される中央制御装置を組み合わせて、クラウド伝送に基づく水質および漏水モニタリングシステムを構成する。使用者がクラウドからダウンロード、閲覧することにより、水質のモニタリングと、漏水状態かどうかのモニタリングとを随時行うことを達成し、これにより水質変化前および漏水時の対応に有利である。実用的な設計であり、確かに新規性を有する考案に属するため、法に基づき特許を出願する。貴庁の審査により、一日も早く特許権が授与されることを願います。
【符号の説明】
【００１７】
１  管体
１１  主管体
１２  側管体
１２１  流路
１３  ＰＨ値検出素子
１４  水圧検出素子
１５  濁度検出素子
１６  流路検出素子
１７  突管
１７１  出水口
１７２  蓋体
１８  水流検出素子
２  仲介プラットフォームサーバ
３  中央制御装置
４  制動弁
４１  ピストン
４２  ばね
５  インターネット
６  コンピュータ
７  モバイル通信装置（スマートフォン）
【図１】
0003204829.tif 000003
【図２】
0003204829.tif 000004
【図３】
0003204829.tif 000005
【図４】
0003204829.tif 000006
【図５】
0003204829.tif 000007
【図６】
0003204829.tif 000008
【図７】
0003204829.tif 000009
【図８】
0003204829.tif 000010